(57)【特許請求の範囲】
【請求項１】
座部と該座部に立設された脚部と該脚部の上端部に配設された台部とからなり、上記脚部は上記座部に対して回転及び着脱自在に設けられ、上記台部は上記脚部に着脱自在に配設された回転板及び該回転板上に着脱自在に配設された載置板からなり、上記回転板の周縁部に該回転板の周縁部を切欠してなる転動防止部が形成され、上記回転板及び載置板に一対の差込穴を複数対形成し、該一対の差込穴内にケーキ内に差込可能なＵ状体に形成された差込体を差込着脱自在に設けてなることを特徴とするケーキ製作用回転台。
【請求項２】
上記差込体は金属の針金を折り返し折曲してＵ状体に形成されていることを特徴とする請求項１記載のケーキ製作用回転台。
【請求項３】
上記載置板の裏面に脚を兼ねたピン状の位置決め凸部及び弧状の位置決め嵌合部を垂設すると共に上記回転板に位置決め穴部及び位置決め溝部を形成し、該位置決め凸部と該位置決め穴部及び該位置決め嵌合部と該位置決め溝部との嵌合により回転板上に載置板を着脱自在に配設してなることを特徴とする請求項１又は２記載のケーキ製作用回転台。
【請求項４】
上記載置板の上面に載置板の中心を中心とする複数個のケーキ円目印を刻成してなることを特徴とする請求項１〜３のいずれか１項に記載のケーキ製作用回転台。
【請求項５】
上記載置板の上面に上記回転板との位置関係を上方から目視確認可能な位置決め目印を刻成してなることを特徴とする請求項１〜４のいずれか１項に記載のケーキ製作用回転台。
【発明の詳細な説明】
【０００１】
【発明の属する技術分野】
本発明は例えばケーキをデコレートする際に用いられるケーキ製作用回転台に関するものである。
【０００２】
【従来の技術】
従来この種のケーキ製作用回転台として、例えば、座部と座部に配設された脚部と脚部に配設された台部とからなる構造のものが知られ、しかして、例えば、台部上にスポンジケーキ等のケーキを載置し、台部を回転させながらケーキの上面及び側周面にホイップクリームをパレットナイフ等を用いて塗ったり、イチゴ、バナナ等のフルーツで飾り付けたりしてデコレートすることになる。
【０００３】
【発明が解決しようとする課題】
しかしながら上記従来構造の場合、ケーキは台部上に載置されているだけであるから、例えばケーキの側周面をデコレートするため、回転台を傾けたとき、ケーキが台部から滑落することがあり、それだけ滑落に十分配慮してデコレートしなければならず、使用快適性に劣ることがあるという不都合を有している。
【０００４】
【課題を解決するための手段】
本発明はこのような課題を解決することを目的とするもので、本発明のうちで、請求項１記載の発明は、座部と該座部に立設された脚部と該脚部の上端部に配設された台部とからなり、上記脚部は上記座部に対して回転及び着脱自在に設けられ、上記台部は上記脚部に着脱自在に配設された回転板及び該回転板上に着脱自在に配設された載置板からなり、上記回転板の周縁部に該回転板の周縁部を切欠してなる転動防止部が形成され、上記回転板及び載置板に一対の差込穴を複数対形成し、該一対の差込穴内にケーキ内に差込可能なＵ状体に形成された差込体を差込着脱自在に設けてなることを特徴とするケーキ製作用回転台にある。
【０００５】
又、請求項２記載の発明は、上記差込体は金属の針金を折り返し折曲してＵ状体に形成されていることを特徴とするものであり、又、請求項３記載の発明は、上記載置板の裏面に脚を兼ねたピン状の位置決め凸部及び弧状の位置決め嵌合部を垂設すると共に上記回転板に位置決め穴部及び位置決め溝部を形成し、該位置決め凸部と該位置決め穴部及び該位置決め嵌合部と該位置決め溝部との嵌合により回転板上に載置板を着脱自在に配設してなることを特徴とするものであり、又、請求項４記載の発明は、上記載置板の上面に載置板の中心を中心とする複数個のケーキ円目印を刻成してなることを特徴とするものであり、又、請求項５記載の発明は、上記載置板の上面に上記回転板との位置関係を上方から目視確認可能な位置決め目印を刻成してなることを特徴とするものである。
【０００６】
【発明の実施の形態】
図１乃至図１１は本発明の実施の形態例を示し、１は座部、２は脚部、３は台部であって、いずれも合成樹脂により製作され、座部１は円形板上に形成され、中央部に隆起部１ａが形成され、隆起部１ａに回転軸穴１ｂを形成してなり、又、脚部２は筒状に形成され、脚部２の下端部寄りに隆起部１ａの上面に当接可能な当接環状部２ａを形成すると共に下端部に回転軸穴１ｂに回転自在に挿脱可能な回転軸筒部２ｂを形成し、かつ、回転軸筒部２ｂに弾性係止爪部２ｃを形成すると共に回転軸穴１ｂに環状段部１ｃを形成し、これにより脚部２を座部１に対して回転及び着脱自在に設けて構成している。
【０００７】
又、上記台部３は上記脚部２に着脱自在に配設された回転板４と回転板４上に着脱自在に配設された載置板５とからなり、この場合、回転板４の中心部に十字穴状の嵌合穴４ａを形成し、上記脚部２の上端部寄りに環状段部２ｄを形成すると共に上端部に嵌合穴４ａに嵌入可能な十字状の嵌合部２ｅを形成し、嵌合穴４ａと嵌合部２ｅとを合致させて嵌合穴４ａに嵌合部２ｅを挿通し、挿通後に脚部２を４５度旋回させることにより回転板４を脚部２に着脱自在に設けている。
【０００８】
又、この場合、上記載置板５の裏面に脚を兼ねた四個のピン状の位置決め凸部５ａ及び四個の弧状の位置決め嵌合部５ｂを垂設すると共に回転板４に四個の位置決め穴部４ｂ及び位置決め溝部４ｃを形成し、位置決め凸部５ａと位置決め穴部４ｂ及び位置決め嵌合部５ｂと位置決め溝部４ｃとの嵌合により回転板４上に載置板５を着脱自在に配設している。
【０００９】
６は転動防止部であって、上記回転板４の周縁部を切欠形成して四個形成されている。
【００１０】
７は差込体であって、この場合、金属の針金を折り返し折曲してＵ状体に形成され、回転板４及び載置板５に一対の差込穴４ｄ・５ｃを八対形成し、回転板４の下方位置から差込体７の開放両端部を一対の差込穴４ｄ・５ｃ内に差込み、更に、載置板５上のケーキＷ内にＵ状の差込体７の両端部を適宜深さ差し込むように構成している。
【００１１】
又、この場合、上記載置板５の上面に載置板５の中心を中心とする複数個、この場合三個のケーキ円目印５ｅを刻成し、かつ、載置板５の上面に回転板３との位置関係を上方から目視確認可能な位置決め目印５ｆ・５ｇを刻成している。
【００１２】
この実施の形態例は上記構成であるから、図１０の如く、台部３上にデコレートすべきスポンジケーキ等のケーキＷを載置し、台部１を回転させながらケーキの上面及び側周面にホイップクリームをパレットナイフ等を用いて塗ったり、クリームを絞り出し袋から押し出したり、イチゴ、バナナ等のフルーツで飾り付けたりしてデコレートすることになり、この際、台部３に着脱自在に設けられた差込体３を、図７の如く、ケーキＷ内に差し込むことができ、差込体３の差し込みによりケーキＷを台部３上に固定することができ、デコレート作業時のケーキＷの滑動や滑落を防ぐことができ、ケーキＷを台部１から取り出す時には差込体７を台部１からぬきとることができ、デコレートの作業性を高めることができると共に快適にデコレート作業を行うことができる。
【００１３】
この場合、上記脚部２を座部１に対して回転及び着脱自在に設けてなるから、台部３は脚部２と一緒に座部１に対して回転するので台部３を容易に回転させることができると共に脚部２を台部１から取り外すことができ、不使用時等の収納保管が容易となり、又、この場合、上記台部３は上記脚部２に着脱自在に配設された回転板４と、回転板４上に着脱自在に配設された載置板５とからなるので、脚部２から回転板４を取り外すことができると共に回転板４から載置板５を取り外すことができ、不使用時等の収納保管が容易となると共に載置板５上のケーキＷを載置板５上に載置したまま取り出し、ケーキ台として使用することもでき、又、この場合、上記回転板４の周縁部に転動防止部６を形成しているから、図１１の如く、台部１を傾けてケーキＷの側周面をデコレートする時、台部１の不測の転動を防ぐことができ、それだけ楽に快適にデコレートすることができ、又、この場合、上記回転板４及び載置板５に一対の差込穴４ｄ・５ｃを複数対形成し、上記差込体７を一対の差込穴４ｄ・５ｃ内に差込可能なＵ状体に形成してなるから、差込体７をケーキＷ内に容易に差し込むことができる。
【００１４】
又、この場合、上記載置板５の上面に載置板５の中心を中心とする複数個、この場合三個のケーキ円目印５ｅを刻成しているから、直径の異なるケーキＷの外周縁をケーキ円目印５ｅに合致させることにより載置板５の中心にケーキＷを配置することができ、又、この場合、載置板５の上面に回転板３との位置関係を上方から目視確認可能な位置決め目印５ｆ・５ｇを刻成しているから、回転板３と載置板５との着脱を容易に行うことができる。
【００１５】
尚、本発明は上記実施の形態例に限られるものではなく、座部１、脚部２、台部３、差込体７、転動防止部６の大きさや形状、構造等は適宜変更して設計される。
【００１６】
【発明の効果】
本発明は上述の如く、請求項１記載の発明にあっては、台部上にデコレートすべきケーキを載置し、台部を回転させながらケーキの上面及び側周面にホイップクリームをパレットナイフ等を用いて塗ったり、クリームを絞り出し袋から押し出したり、イチゴ、バナナ等のフルーツで飾り付けたりしてデコレートすることになり、この際、台部に着脱自在に設けられた差込体をケーキ内に差し込むことができ、差込体の差し込みによりケーキを台部上に固定することができ、デコレート作業時のケーキの滑動や滑落を防ぐことができ、作業性を高めることができると共に快適にデコレート作業を行うことができ、かつ、上記脚部を座部に対して回転及び着脱自在に設けてなるから、台部は脚部と一緒に座部に対して回転するので台部を容易に回転させることができると共に脚部を台部から取り外すことができ、不使用時等の収納保管が容易となり、更に、上記台部は上記脚部に着脱自在に配設された回転板及び回転板上に着脱自在に配設された載置板からなるので、脚部から回転板を取り外すことができると共に回転板から載置板を取り外すことができ、不使用時等の収納保管が容易となると共に載置板上のケーキを載置板上に載置したまま取り出し、ケーキ台として使用することもでき、しかも、上記回転板の周縁部に回転板を切欠してなる転動防止部を形成しているから、台部を傾けてケーキの側周面をデコレートする時、台部の不測の転動を防ぐことができ、それだけ楽に快適にデコレートすることができ、更に、上記回転板及び載置板に一対の差込穴を複数対形成し、該一対の差込穴内にケーキ内に差込可能なＵ状体に形成された差込体を差込着脱自在に設けてなるから、差込体をケーキ内に容易に差し込むことができる。
【００１８】
又、請求項２記載の発明にあっては、上記差込体は金属の針金を折り返し折曲してＵ状体に形成されているから、差込体をケーキ内に容易に差し込むことができ、又、請求項３記載の発明は、上記載置板の裏面に脚を兼ねたピン状の位置決め凸部及び弧状の位置決め嵌合部を垂設すると共に上記回転板に位置決め穴部及び位置決め溝部を形成し、該位置決め凸部と該位置決め穴部及び該位置決め嵌合部と該位置決め溝部との嵌合により回転板上に載置板を着脱自在に配設してなるから、回転板上に載置板を位置決めすることができ、又、請求項４記載の発明にあっては、上記載置板の上面に載置板の中心を中心とする複数個のケーキ円目印を刻成してなるから、直径の異なるケーキの外周縁をケーキ円目印に合致させることにより載置板の中心にケーキを配置することができ、又、請求項５記載の発明にあっては、上記載置板の上面に上記回転板との位置関係を上方から目視確認可能な位置決め目印を刻成してなるから、回転板３と載置板５との着脱を容易に行うことができる。
【００１８】
以上、所期の目的を充分達成することができる。
【図面の簡単な説明】
【図１】  本発明の実施の形態例の全体斜視図である。
【図２】  本発明の実施の形態例の分解斜視図である。
【図３】  本発明の実施の形態例の部分分解斜視図である。
【図４】  本発明の実施の形態例の部分平面図である。
【図５】  本発明の実施の形態例の部分断面図である。
【図６】  本発明の実施の形態例の載置板の裏面図である。
【図７】  本発明の実施の形態例の部分断面図である。
【図８】  本発明の実施の形態例の部分断面図である。
【図９】  本発明の実施の形態例の部分断面図である。
【図１０】  本発明の実施の形態例の使用状態図である。
【図１１】  本発明の実施の形態例の使用状態図である。
【符号の説明】
Ｗ  ケーキ
１  座部
２  脚部
３  台部
４  回転板
５  載置板
６  転動防止部
７  差込体
【図１】
0003684967.tif 000002
【図２】
0003684967.tif 000003
【図３】
0003684967.tif 000004
【図４】
0003684967.tif 000005
【図５】
0003684967.tif 000006
【図６】
0003684967.tif 000007
【図７】
0003684967.tif 000008
【図８】
0003684967.tif 000009
【図９】
0003684967.tif 000010
【図１０】
0003684967.tif 000011
【図１１】
0003684967.tif 000012